(57)【要約】【課題】ディジタル放送受信装置における複数種類の情報の表示を有効としている場合で処理負荷が増大しても当該表示にかかる不都合を軽減する。【解決手段】データ放送用の情報の表示および字幕放送用情報の表示がともに有効に設定された状態で、処理負荷検出部２１は入力バッファ７の使用状態を検出して、この使用状態がオーバフロー状態となっている場合には処理負荷超過を示す制御信号を制御部１に出力する。すると制御部１は動作モードを通常モードから処理負荷削減モードに切り替える。このモードでは制御部１は制御部１はデータ放送用の情報の再生が停止するようにデータ放送デコーダ１２を制御する。これによりグラフィック処理部１３の処理負荷が減少するので字幕放送用の情報が表示部１４へ正しいタイミングで表示されるようになる。【選択図】      図１
2007096407.tif 000002
【特許請求の範囲】
【請求項１】
放送電波を受信選局する受信選局手段と、
この受信選局した放送電波に含まれる映像情報、この映像情報と独立したデータ放送用の情報および字幕放送用の情報を再生する再生手段と、
この再生手段による再生にかかる処理負荷の大きさを検出する検出手段と、
この検出手段による検出結果が予め定められた条件を満たした場合に、前記再生手段による再生内容を前記処理負荷が軽減するような再生内容に可変する制御手段と
を備えたことを特徴とするディジタル放送受信装置。
【請求項２】
前記制御手段は、
前記検出手段による検出結果が前記定められた条件を満たした場合に前記データ放送用の情報および前記字幕放送用の情報のうちいずれかの再生が停止するように前記再生手段を制御することを特徴とする請求項１に記載のディジタル放送受信装置。
【請求項３】
前記制御手段は、
前記検出手段による検出結果が前記定められた条件を満たした場合に前記映像情報、データ放送および字幕放送用の情報の少なくともいずれかの表示品質が低下するように前記再生手段を制御することを特徴とする請求項１に記載のディジタル放送受信装置。
【請求項４】
データ放送の情報の更新にかかる操作を受け付ける入力手段をさらに備え、
前記制御手段は、前記検出手段による検出結果が前記定められた条件を満たした場合に前記入力手段に対する操作を無効とすることを特徴とする請求項１に記載のディジタル放送受信装置。
【請求項５】
前記制御手段は、
前記検出手段による検出結果が前記定められた条件を満たした場合に複数種類のうち予め定められたいずれかの処理を実行することで前記再生手段による再生内容を前記処理負荷が軽減するような再生内容に可変し、
この可変の実行後も前記検出結果が前記定められた条件を満たしている場合に、前記複数種類のうち未実行の予め定められた処理を実行する
ことを特徴とする請求項１に記載のディジタル放送受信装置。
【請求項６】
前記受信選局した放送電波に含まれる字幕放送用の情報を一時的に格納する格納手段をさらに備え、
前記再生手段は、前記格納手段に格納された字幕放送用の情報を読み出して、これを再生し、
前記検出手段は、前記格納手段の使用状態に基づいて前記処理負荷の大きさを検出する
ことを特徴とする請求項１に記載のディジタル放送受信装置。
【請求項７】
計時手段をさらに備え、
前記受信選局した放送電波に含まれる字幕放送用の情報は前記再生手段による当該字幕放送用の情報の再生に関わる予め定められた処理の実行の予定時刻の情報を含み、
前記検出手段は、前記再生手段による予め定められた処理の実行時において前記計時手段が計時した時刻情報を取得し、この取得した時刻と前記予定時刻との差分の大きさに基づいて前記処理負荷の大きさを検出する
ことを特徴とする請求項１に記載のディジタル放送受信装置。
【請求項８】
前記再生手段による再生する情報の種別の変更を認識する認識手段をさらに備え、
前記制御手段は前記再生内容の可変後に前記認識手段が前記再生する情報の種別の変更を認識した場合に前記再生内容の可変を解除する
ことを特徴とする請求項１に記載のディジタル放送受信装置。
【請求項９】
前記制御手段による前記再生内容の可変の開始にともなってこれを報知する報知手段をさらに備えたことを特徴とする請求項１に記載のディジタル放送受信装置。
【請求項１０】
放送電波を受信選局する受信選局手段と、
この受信選局した放送電波に含まれる映像情報、この映像情報と独立したデータ放送用の情報および字幕放送用の情報を再生する再生手段と、
前記データ放送用の情報の再生にかかる各種処理に対して前記字幕放送用の情報の再生にかかる各種処理が優先して実行されるように前記再生手段を制御する制御手段と
を備えたことを特徴とするディジタル放送受信装置。
【発明の詳細な説明】
【技術分野】
【０００１】
本発明は、データ放送用の情報および字幕放送用の情報が含まれる放送電波を受信する機能を有するディジタル放送受信装置に関する。
【背景技術】
【０００２】
従来、例えば地上波ディジタル放送や衛星ディジタル放送などのディジタル方式の放送を受信するディジタル放送受信装置が運用されており、このディジタル放送受信装置では、映像情報、音声情報、データ放送用の情報などが多重化された放送電波を受信して、この放送電波に含まれる映像情報、音声情報、およびデータ放送用の情報を再生する機能を有する（例えば特許文献１参照）。
【０００３】
この放送電波には番組によって字幕放送用の情報が含まれており、ディジタル放送受信装置には、この字幕放送用の情報を再生する機能を有するものがある。
【特許文献１】特開２００４−１２９３１０号公報
【発明の開示】
【発明が解決しようとする課題】
【０００４】
しかし、映像情報、音声情報、データ放送用の情報および字幕放送用の情報の再生にかかる処理速度はデコード処理能力、グラフィック処理能力およびメモリバスバンド幅などの大小に左右される。よって、例えば表示画面において大きな面積の字幕が頻繁に更新されるのと同時に大きな面積のデータ放送画面が頻繁に更新されるようなコンテンツを受信した場合などのように処理負荷が増大した場合にこれらの表示にかかる正常な処理が行なえなくなる場合がある。この場合には映像および音声情報の再生と字幕放送用の情報の再生との同期が乱れたり、再生すべき情報の一部が再生されずに欠落したりする。
【０００５】
そこで、本発明の目的は、複数種類の情報の表示を有効としている場合で処理負荷が増大しても当該表示にかかる不都合を軽減することが可能になるディジタル放送受信装置を提供することにある。
【課題を解決するための手段】
【０００６】
すなわち、本発明に係わるディジタル放送受信装置は、放送電波を受信選局する受信選局手段と、この受信選局した放送電波に含まれる映像情報、この映像情報と独立したデータ放送用の情報および字幕放送用の情報を再生する再生手段とを備え、この再生にかかる処理負荷の大きさを検出し、この検出結果が予め定められた条件を満たした場合に、前述した再生内容を処理負荷が軽減するような再生内容に可変することを特徴とする。
【発明の効果】
【０００７】
本発明に係わるディジタル放送受信装置では、放送電波を受信選局する受信選局手段と、この受信選局した放送電波に含まれる映像情報、この映像情報と独立したデータ放送用の情報および字幕放送用の情報を再生する再生手段とを備え、この再生にかかる処理負荷の大きさを検出し、この検出結果が予め定められた条件を満たした場合に、前述した再生内容を処理負荷が軽減するような再生内容に可変するので、複数種類の情報の表示を有効としている場合で処理負荷が増大しても当該表示にかかる不都合を軽減することができる。
【発明を実施するための最良の形態】
【０００８】
以下図面により本発明の実施形態について説明する。  
（第１の実施形態）
まず、本発明の第１の実施形態について説明する。  
図１は本発明の第１の実施形態にしたがったディジタル放送受信装置の内部回路の構成例を示すブロック図である。  
このディジタル放送受信装置は装置全体の動作を司る制御部１を備え、ＴＶ（テレビ）アンテナ２が受信した地上波ディジタルテレビ放送の放送電波から予め選択した放送局の電波を選局するチューナ部３およびこの選局された電波を復調してＴＶ映像信号、ＴＶ音声信号、データ放送用の信号および字幕放送用の信号に分離するデマルチプレクサ４をさらに備える。
【０００９】
また、このディジタル放送受信装置は入力バッファ５，６，７およびデータ放送データ記憶部８をさらに備える。入力バッファ５はデマルチプレクサ４により分離されたＴＶ音声信号に含まれる情報を一時的に蓄積する。入力バッファ６は前述のように分離されたＴＶ映像信号を入力し、この信号を一時的に蓄積する。入力バッファ７は前述のように分離された字幕放送用の信号を一時的に蓄積する。データ放送データ記憶部８は前述のように分離されたデータ放送用の信号を蓄積する。
【００１０】
また、このディジタル放送受信装置は音声デコーダ９、ビデオデコーダ１０、字幕デコーダ１１およびデータ放送デコーダ１２をさらに備える。音声デコーダ９は入力バッファ５に蓄積されたＴＶ音声信号を復号（デコード）して出力する。ビデオデコーダ１０は入力バッファ６に蓄積されたＴＶ映像信号を復号して出力する。字幕デコーダ１１は入力バッファ７に蓄積された字幕放送用の信号を復号して出力する。データ放送デコーダ１２はデータ放送データ記憶部８に蓄積されたデータ放送用の信号を必要時に復号して出力する。
【００１１】
また、このディジタル放送受信装置はビデオデコーダ１０、字幕デコーダ１１およびデータ放送デコーダ１２などから入力した信号から１つまたは複数の信号を選択するとともに、それらを合成して表示部（モニタ）１４に出力するグラフィック処理部１３を備える。グラフィック処理部１３は選択した信号に対するスケーリングや画像合成などを行ない、この合成して得た信号を表示部１４に出力する。また、音声デコーダ９から出力された信号は音声再生部（スピーカ）１５に入力される。
【００１２】
このディジタル放送受信装置は処理負荷検出部２１および設定可変検出部２２を備える。また、このディジタル放送受信装置は入力装置であるリモコン２４からの赤外線信号を受信するリモコン受信部２３をさらに備える。リモコン受信部２３は制御部１と接続される。
【００１３】
処理負荷検出部２１はＴＶ映像、ＴＶ音声、字幕放送用の情報およびデータ放送用の情報の再生にかかる処理負荷を数値化して、この数値が予め定められた条件を満たすか否かを判別する。設定可変検出部２２はユーザによるリモコン２４に対する操作による字幕放送用の情報やデータ放送用の表示の有無、選局および番組内容の変化などの有無を検出する。
【００１４】
リモコン２４はリモコン受信部２３との赤外線通信を行なうための発信部、ディジタル放送受信装置の電源をオンオフする為の電源キー、スティック上のカーソルキーなどの各種キーを備える。
【００１５】
次に、図１に示した構成のディジタル放送受信装置の動作について説明する。  
このディジタル放送受信装置は各種情報の表示にかかる処理負荷が増大した場合でもこれらの表示形態にかかる不都合を軽減する機能を有する。ここでは表示形態にかかる不都合とは各種情報の表示が遅延したり表示自体が欠落したりすることを意味する。ただし表示画像の解像度、表示色数、フレームレートなどの低下などは前述した表示形態に関する不都合には含まれない。
【００１６】
このディジタル放送受信装置ではユーザが視聴中のチャンネルの通常のＴＶ映像情報、同一チャンネルのデータ放送用の情報および同一チャンネルの字幕放送用の情報があわせてモニタ表示され、各種情報の情報量が予め定められた値を超えており、かつリモコン２４に対する操作にしたがったデータ放送用の情報の手動更新が頻繁になされた場合に各種情報の表示の遅延や欠落が発生すると仮定する。
【００１７】
データ放送用の情報とは例えばニュースや天気予報を示す文字情報及び画像情報であり、前述した通常のＴＶ映像情報や字幕放送用の情報とは独立した情報である。また、字幕放送用の情報とは例えば映画の吹き替えセリフなどを示す文字情報であり、前述した通常のＴＶ映像情報やデータ放送用の情報とは独立した情報である。
【００１８】
図２は、本発明の第１の実施形態にしたがったディジタル放送受信装置による表示制御処理の一例を示すフローチャートである。  
このディジタル放送受信装置は通常モードおよび処理負荷削減モードのいずれかの動作モードにしたがった処理を行なう。このディジタル放送受信装置の電源が投入されると制御部１は通常モードにしたがった処理を開始する。
【００１９】
制御部１は動作モードが通常モードにある場合にはＴＶ映像情報、データ放送用の情報および字幕放送用の情報の表示部１４への表示有無をリモコン２４の操作による表示設定にしたがって制御する。
【００２０】
一方、制御部１は現在の動作モードが処理負荷削減モードにある場合にはリモコン２４の操作による表示設定で表示部１４への表示が有効となっている情報のうちいずれかの情報の表示形態を可変することで、表示部１４への各種情報の表示にかかる処理負荷を減少させ、これらの情報の表示の遅延や欠落などが発生しないようにする。
【００２１】
動作モードが通常モードにある場合でリモコン２４の各種キーの所定の操作を経てデータ放送用の情報および字幕放送用情報の表示がともに有効に設定されると、グラフィック処理部１３はＴＶ映像信号、データ放送用の信号および字幕放送用の信号をもとにしたスケーリングおよび画像合成などのグラフィック処理を行なって、この合成して得た信号を表示部１４に出力する。
【００２２】
この状態（ステップＳ１のＹＥＳ）では、このディジタル放送受信装置は表示部１４への各種情報の表示にかかる処理負荷が予め定められた条件を満たしているか否かの判別を行なう。具体的には制御部１は字幕放送用の入力バッファ７の空き状態を検出し、この空き状態を数値化した情報を含む制御信号を処理負荷検出部２１に出力する。すると処理負荷検出部２１は入力バッファ７の空き状態の数値を予め定められた基準値と比較することで、当該使用状態がオーバフロー状態となっているか否かを判別する（ステップＳ２）。
【００２３】
または字幕放送用の信号受信時に、制御部１はデマルチプレクサから字幕放送用データのサイズを得て、これと前記入力バッファ７の空き状態を数値化した情報を含む制御信号を処理負荷検出部２１に出力する。すると処理負荷検出部２１は入力バッファ７の使用空き状態の数値が、字幕放送用データのサイズを下回っているか否かを比較することで、入力バッファ７にオーバフロー状態となっているか否かを判別する（ステップＳ２）。
【００２４】
入力バッファ７の使用状態がオーバフロー状態となっている場合には、字幕放送用の情報が欠落して、字幕放送用の情報が表示部１４に正常に表示されない状態が発生する。またこの場合にはグラフィック処理部１３による処理負荷も増大しているので字幕放送用の情報およびデータ放送用の情報の少なくとも一方の表示部１４への正常な表示がなされない可能性がある。特に、字幕放送用の情報が表示部１４に正常に表示されないと映像情報と字幕放送用の情報とが同期して表示部１４に表示されないことになるので視聴者に混乱を与えてしまう。制御部１は前述した使用状態がオーバフロー状態となっていると判別した場合には字幕放送用の情報が正常なタイミングで表示部１４に表示されていないと判別する。
【００２５】
図３は、本発明の第１の実施形態にしたがったディジタル放送受信装置による映像情報と字幕放送用の情報とが同期して再生されている場合の各情報の再生タイミングの一例を示す図である。
【００２６】
図４は、本発明の第１の実施形態にしたがったディジタル放送受信装置による映像情報と字幕放送用の情報とが同期して再生されていない場合の各情報の再生タイミングの一例を示す図である。
【００２７】
また、制御部１は字幕放送用の情報の表示部１４への正常な表示の有無を判別するために他の処理を行なってもよい。具体的には制御部１は入力バッファ７に入力された信号に含まれる各文字データの予め定められた表示開始予定時刻の情報を当該文字データの識別子と関連付けて抽出する。字幕デコーダ１１は各文字データの信号の復号処理が終了するたびにこれを示す制御信号を当該文字データの識別子とともに制御部１に出力する。
【００２８】
制御部１は字幕デコーダ１１からの制御信号を入力するとこの信号の入力時刻を図示しない内部計時回路により計時する。制御部１はこれら入力した情報や計時時刻の情報を処理負荷検出部２１に出力する。処理負荷検出部２１はこの情報で示される入力時刻と当該入力時刻と関わる文字データの識別子と同一の識別子と関連付けられる表示開始予定時刻との差分値を計算する。この差分値は図４に示した時間Ｔに相当する。制御部１はこの計算した差分値が予め定めた基準値を超えた場合には字幕放送用の情報が正常なタイミングで表示部１４に表示されていないと判別する。
【００２９】
また、字幕放送用の情報の再生がなされていない場合には、制御部１はデータ放送データ記憶手段８に入力された信号に含まれる各画像の予め定められた表示開始予定時刻の情報を当該画像の識別子と関連付けて抽出する。データ放送デコーダ１２は各画像の信号の復号処理が終了するたびにこれを示す制御信号を当該画像の識別子とともに制御部１に出力する。
【００３０】
そして制御部１はデータ放送デコーダ１２からの制御信号を入力するとこの信号の入力時刻を図示しない内部計時回路により計時する。制御部１はこれら入力した情報や計時時刻の情報を処理負荷検出部２１に出力する。処理負荷検出部２１はこの入力した情報で示される入力時刻および当該入力時刻と関わる画像の識別子と同一の識別子と関連付けられる表示開始予定時刻との差分値を計算する。制御部１はこの計算した差分値が予め定めた基準値を超えた場合にはデータ放送用の情報が正常なタイミングで表示部１４に表示されていないと判別する。
【００３１】
処理負荷検出部２１は字幕放送用の情報の表示部１４への正常な表示がなされないと判別した場合またはデータ放送用の情報の表示部１４への正常な表示がなされないと判別した場合（ステップＳ２のＹＥＳ）には処理負荷超過を示す制御信号を制御部１に出力する。
【００３２】
制御部１は処理負荷検出部２１からの制御信号を入力すると内部メモリに予め記憶された警告メッセージの文字情報が表示部１４に表示されるようにグラフィック処理部１３に制御信号を出力する（ステップＳ３）。この警告メッセージは例えば「処理負荷を削減します」などである。
【００３３】
警告メッセージは文字情報に限らず音声情報であってもよい。したがって制御部１は予め内部メモリに予め記憶された警告メッセージの音声情報を音声再生部１５に出力してもよい。
【００３４】
そして制御部１は動作モードを通常モードから処理負荷削減モードに切り替える。このモードでは制御部１は表示部１４への各種情報の表示にかかる処理負荷の削減処理を行なう（ステップＳ４）。具体的には制御部１はデータ放送用の情報の再生が停止するようにデータ放送デコーダ１２を制御する。これによりグラフィック処理部１３の処理負荷が減少するので字幕放送用の情報が表示部１４へ正しいタイミングで表示されるようになる。
【００３５】
また、表示部１４への表示にかかる処理負荷の削減処理の他の例として、制御部１はデータ放送用の情報の情報を表示部１４に正常なタイミングで表示させるために字幕放送用の情報の再生が停止するように字幕デコーダ１１を制御するようにしてもよい。
【００３６】
図５は、本発明の第１の実施形態にしたがったディジタル放送受信装置による字幕放送に関する情報を含む各種情報の合成手順の一例を示す図である。  
図６は、本発明の第１の実施形態にしたがったディジタル放送受信装置による字幕放送に関する情報以外の各種情報の合成手順の一例を示す図である。
【００３７】
図５に示したように動画の情報、データ放送用の文字・図形の情報、データ放送用の背景の情報ならびに字幕放送用の情報をあわせて表示部１４に表示させるには、グラフィック処理部１３は動画の情報にスケーリング処理を施し、データ放送用の文字・図形の情報およびデータ放送用の背景の情報を合成し、この合成した情報に字幕用の情報を合成し、この情報に前述したスケーリング後の動画の情報を合成する。動画の情報とはＴＶ映像の情報である。
【００３８】
一方、図６に示したように字幕放送用の情報を表示部１４への表示対象としない場合には、グラフィック処理部１３は動画の情報にスケーリング処理を施し、データ放送用の文字・図形の情報およびデータ放送用の背景の情報を合成し、この合成した情報に前述したスケーリング後の動画の情報を合成する。
【００３９】
つまり図５に示したように４種類の情報を合成する場合と比較して図６に示したように３種類の情報を合成する場合には情報の合成処理の回数が少なくて済むのでグラフィック処理部１３の処理負荷が減少することになる。
【００４０】
制御部１が表示部１４への表示にかかる処理負荷の削減処理を行なった後、設定可変検出部２２は制御部１による処理内容を監視する。設定可変検出部２２はこの監視の結果、リモコン２４に対する操作によりデータ放送用の情報や字幕放送用の情報の表示設定が無効になったり選局チャンネルが変わったりした場合、または受信中の番組の放送が終了して別の番組の放送が開始されたと判別した場合には表示部１４への表示にかかる処理負荷が削減された可能性があるとみなし、表示部１４への表示にかかる処理負荷の削減処理を解除する旨を示す制御信号を制御部１に出力する。
【００４１】
制御部１は設定可変検出部２２からの制御信号を入力すると動作モードを処理負荷削減モードから通常モードに復帰させる。すると表示部１４に表示される情報は動作モードが処理負荷削減モードに移行する前にリモコン２４に対する操作にしたがって表示設定が有効となっている情報となる。
【００４２】
以上のように、本発明の第１の実施形態にしたがったディジタル放送受信装置では、データ放送用の情報と字幕放送用の情報の同時表示を行なっている場合で、少なくとも一方の種類の情報の表示形態を変化させることで、各種情報の表示部１４に対する表示にかかる処理負荷を削減させるので、各種情報の表示にかかる処理の遅延や欠落を防止することができる。
【００４３】
次に前述した処理負荷の削減処理のその他の例について説明する。前述した処理ではデータ放送用の情報と字幕放送用の情報の同時表示を行なっている場合で一方の種類の情報の表示を停止すると説明したが、この処理を行なうとデータ放送用の情報と字幕放送用の情報を同時に表示部１４に表示させることができない。
【００４４】
以下、データ放送用の情報と字幕放送用の情報の表示部１４への表示を維持しつつ、これらの情報の表示遅れや欠落が発生しないように各種情報の表示にかかる処理負荷の削減処理について説明する。  
この処理の例として各種信号の量子化ビット数の削減、カラーフォーマットの変更、解像度の低減、フレームレートの低減などが挙げられる。
【００４５】
前述した例のうち量子化ビット数の削減について説明する。制御部１は動作モードを処理負荷削減モードに移行させた場合にグラフィック処理部１３に対して入出力信号の量子化ビット数の削減を指示するための制御信号を出力する。グラフィック処理部１３はこの制御信号を入力すると各種入出力信号の一部又は全部の量子化ビット数を予め定められたビット数まで削減する。
【００４６】
これにより表示部１４に表示される各種情報の色解像度が減少するが、グラフィック処理部１３によるスケーリングや合成処理にかかる信号処理量が減少するので各種情報の表示にかかる処理負荷が減少することになる。これにより各種情報の単位時間あたりの更新量が増加して、表示部１４における字幕放送用の情報やデータ放送用の情報の更新がスムーズに行なえるようになる。
【００４７】
前述した例のうちカラーフォーマットの変更について説明する。ここで、ビデオデコーダ１０、字幕デコーダ１１およびデータ放送デコーダ１２は動作モードが通常モードにある場合には色信号をＲＧＢ各８ビット、計２４ビットの信号として出力する。
【００４８】
制御部１は動作モードを処理負荷削減モードに移行させた場合にビデオデコーダ１０、字幕デコーダ１１およびデータ放送デコーダ１２に対し色信号のカラーフォーマットの変更を示す制御信号を出力する。
【００４９】
ビデオデコーダ１０、字幕デコーダ１１およびデータ放送デコーダ１２はこの制御信号を入力すると、色信号を輝度信号Ｙ：８ビットおよび色差信号Ｒ−Ｙ：４ビット、Ｂ−Ｙ：４ビットの計１６ビットの信号として出力する。これにより色信号の１画素あたりのビット数が減少する。
【００５０】
また、カラーフォーマットの変更の別の例として、制御部１は動作モードを処理負荷削減モードに移行させた場合にグラフィック処理部１３の入力段に対し色信号のカラーフォーマットの変更を示す制御信号を出力するようにしてもよい。このようなカラーフォーマットの変更を行なうと各種情報の色解像度が減少するが、グラフィック処理部１３によるスケーリングや合成処理にかかる信号処理量が減少するので各種情報の表示にかかる処理負荷が減少することになる。
【００５１】
前述した例のうち解像度の低減について説明する。制御部１は動作モードを処理負荷削減モードに移行させた場合にビデオデコーダ１０、字幕デコーダ１１およびデータ放送デコーダ１２に対し出力信号の解像度の変更の旨を示す制御信号を出力する。ビデオデコーダ１０、字幕デコーダ１１およびデータ放送デコーダ１２はこの制御信号を入力すると出力信号の解像度を予め定められた解像度まで低減させる。これによりグラフィック処理部１３によるスケーリングや合成処理にかかる信号処理量が減少するので各種情報の表示にかかる処理負荷が減少することになる。
【００５２】
また、解像度の低減の別の例として、制御部１は動作モードを処理負荷削減モードに移行させた場合にグラフィック処理部１３に対し入力信号の解像度の減少の旨を示す制御信号を出力する。グラフィック出力部１３はこの制御信号を入力するとビデオデコーダ１０、字幕デコーダ１１およびデータ放送デコーダ１２からの信号を予め定められた間隔で間引いて入力する。これによりグラフィック処理部１３による処理信号の解像度が減少する。
【００５３】
前述した例のうちフレームレートの低減について説明する。制御部１は動作モードを処理負荷削減モードに移行させた場合にビデオデコーダ１０、字幕デコーダ１１およびデータ放送デコーダ１２に対し出力信号のフレームレートの変更の旨を示す制御信号を出力する。ビデオデコーダ１０、字幕デコーダ１１およびデータ放送デコーダ１２はこの制御信号を入力すると出力信号に含まれる画像の１単位時間あたりの更新枚数を予め定められた枚数まで減少させる。これによりグラフィック処理部１３によるスケーリングや合成処理にかかる信号処理量が減少するので各種情報の表示にかかる処理負荷が減少することになる。
【００５４】
また、フレームレートの低減の別の例として、制御部１は動作モードを処理負荷削減モードに移行させた場合にグラフィック処理部１３に対し入力信号のフレームレートの減少の旨を示す制御信号を出力する。グラフィック出力部１３はこの制御信号を入力するとビデオデコーダ１０、字幕デコーダ１１およびデータ放送デコーダ１２からの信号を画像単位で予め定められた間隔で間引いて入力する。これによりグラフィック処理部１３による処理信号の解像度が減少する。
【００５５】
また、前述した各種情報の表示にかかる処理負荷の削減処理として、各種デコーダやグラフィック処理部１３による信号処理を制御する代わりに、リモコン２４に対する操作にしたがったデータ放送用の情報の手動更新を無効にするようにしてもよい。これによりデータ放送用の情報の更新量が低減するので、各種情報の表示にかかる処理負荷が減少する。
【００５６】
また、以上説明したような各種情報の表示にかかる処理負荷の削減処理の複数種類の処理のそれぞれを段階的に実行するようにしてもよい。具体的には制御部１は動作モードを処理負荷削減モードに移行させた場合に、まず、リモコン２４に対する操作にしたがったデータ放送用の情報の手動更新を無効にし、この処理の実行後も処理負荷検出部２１からの処理負荷超過を示す制御信号を入力している場合には、前述した手動更新の無効を維持しつつ各種デコーダやグラフィック処理部１３による信号の量子化ビット数の削減を行なうように制御すればよい。これにより、各種情報の表示部１４への表示内容を不必要に可変させることを防止することができる。
【００５７】
（第２の実施形態）
次に、本発明の第２の実施形態について説明する。なお、本実施形態に係るディジタル放送受信装置の構成は図１に示したものと基本的にほぼ同様であるので同一部分の説明は省略する。  
図７は、本発明の第２の実施形態にしたがったディジタル放送受信装置の内部回路の構成例を示すブロック図である。
【００５８】
本発明の第２の実施形態にしたがったディジタル放送受信装置は本発明の第１の実施形態にしたがったディジタル放送受信装置と異なり、処理負荷検出部２１および設定可変検出部２２の代わりに処理リスト記憶部３１を備える。
【００５９】
この処理リスト記憶部３１はグラフィック処理部１３による実行対象となる各種処理に関する情報を予め定めた数について記憶する。各種デコーダ、つまりビデオデコーダ１０、字幕デコーダ１１およびデータ放送デコーダ１２は入力信号のデコード処理を終了した際にこのデコード処理を施した信号に対するグラフィック処理を要求するための制御信号を制御部１に出力する。この制御信号は当該信号の発行元のデコーダの識別情報を含む。  
制御部１は前述した制御信号を入力すると、この信号に含まれる情報を処理リスト記憶部３１に記憶する。
【００６０】
図８は、本発明の第２の実施形態にしたがったディジタル放送受信装置の処理リスト記憶部に記憶される処理予約リストの構成例を表形式で示した図である。  
この処理予約リストでは、各種デコーダからの処理要求内容、処理要求の発行順位、および処理要求の発行元のデコーダの識別情報が関連付けられて管理される。発行順位は処理要求の発行順に１ずつ増やして更新される。この管理された情報のうちグラフィック処理部１３により実行された処理の情報は処理予約リストから削除される。
【００６１】
次に、本発明の第２の実施形態にしたがったディジタル放送受信装置の動作について説明する。  
このディジタル放送受信装置では、グラフィック処理部１３が字幕放送用の情報に関するグラフィック処理を他の情報に関するグラフィック処理に対して優先して実行する。
【００６２】
図９は、本発明の第２の実施形態にしたがったディジタル放送受信装置による表示制御処理の一例を示すフローチャートである。  
まず、制御部１は処理リスト記憶部３１に記憶された処理予約リストを読み出し、このリスト中に字幕デコーダ１１からの処理要求の情報が含まれているか否かを判別する（ステップＳ１１）。
【００６３】
制御部１は処理予約リスト中に字幕デコーダ１１からの処理要求の情報が含まれていると判別した場合（ステップＳ１１のＹＥＳ）には、処理予約リスト中で管理される処理要求のうち発行元のデコーダが字幕デコーダ１１であり、かつ、発行順位が最も早い処理要求にしたがった処理の実行を指示するための制御信号をグラフィック処理部１３に出力する（ステップＳ１２）。
【００６４】
すると制御部１はこの指示した処理に関する処理要求の情報を処理リスト記憶部３１に記憶される処理予約リストから削除する（ステップＳ１３）。この結果、処理予約リスト中の字幕デコーダ１１からの最も早い処理要求にしたがった処理が処理予約リスト全体の発行順位の大小に関わらず優先して実行される。
【００６５】
一方、制御部１は処理予約リスト中に字幕デコーダ１１からの処理要求の情報が含まれていないと判別した場合（ステップＳ１１のＮＯ）には、処理リスト記憶部３１に記憶された処理予約リスト中に字幕デコーダ１１以外のデコーダからの処理要求の情報が含まれているか否かを判別する（ステップＳ１４）。
【００６６】
制御部１は処理予約リスト中に字幕デコーダ１１以外のデコーダからの処理要求の情報が含まれていると判別した場合（ステップＳ１４のＹＥＳ）には、処理予約リスト中で管理される処理要求のうち発行順位が最も早い処理要求にしたがった処理の実行を指示するための制御信号をグラフィック処理部１３に出力する（ステップＳ１５）。すると制御部１はこの指示した処理に関する処理要求の情報を処理リスト記憶部３１に記憶される処理予約リストから削除する（ステップＳ１６）。
【００６７】
以上のように、本発明の第２の実施形態にしたがったディジタル放送受信装置では、字幕放送用の情報に関するグラフィック処理の予約およびその他の情報に関するグラフィック処理の予約がともになされている場合に、字幕放送用の情報に関するグラフィック処理の予約にしたがった処理が優先して実行されるように制御するので、グラフィック処理部１３による処理負荷が増大していても字幕放送用の情報の表示部１４への表示が遅れたり表示自体が欠落したりすることがなくなる。よってユーザが視聴中のテレビ映像と字幕の情報の同期が保たれるので視聴者に混乱を与えることがなくなる。
【００６８】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６９】
【図１】本発明の第１の実施形態にしたがったディジタル放送受信装置の内部回路の構成例を示すブロック図。
【図２】本発明の第１の実施形態にしたがったディジタル放送受信装置による表示制御処理の一例を示すフローチャート。
【図３】本発明の第１の実施形態にしたがったディジタル放送受信装置による映像情報と字幕放送用の情報とが同期して再生されている場合の各情報の再生タイミングの一例を示す図。
【図４】本発明の第１の実施形態にしたがったディジタル放送受信装置による映像情報と字幕放送用の情報とが同期して再生されていない場合の各情報の再生タイミングの一例を示す図。
【図５】本発明の第１の実施形態にしたがったディジタル放送受信装置による字幕放送に関する情報を含む各種情報の合成手順の一例を示す図。
【図６】本発明の第１の実施形態にしたがったディジタル放送受信装置による字幕放送に関する情報以外の各種情報の合成手順の一例を示す図。
【図７】本発明の第２の実施形態にしたがったディジタル放送受信装置の内部回路の構成例を示すブロック図。
【図８】本発明の第２の実施形態にしたがったディジタル放送受信装置の処理リスト記憶部に記憶される処理予約リストの構成例を表形式で示した図。
【図９】本発明の第２の実施形態にしたがったディジタル放送受信装置による表示制御処理の一例を示すフローチャート。
【符号の説明】
【００７０】
１…制御部、２…ＴＶアンテナ、３…チューナ部、４…デマルチプレクサ、５，６，７…入力バッファ、８…データ放送データ記憶部、９…音声デコーダ、１０…ビデオデコーダ、１１…字幕デコーダ、１２…データ放送デコーダ、１３…グラフィック処理部、１４…表示部、１５…音声再生部、２１…処理負荷検出部、２２…設定可変検出部、２３…リモコン受信部、２４…リモコン、３１…処理リスト記憶部。
【図１】
2007096407.tif 000003
【図２】
2007096407.tif 000004
【図３】
2007096407.tif 000005
【図４】
2007096407.tif 000006
【図５】
2007096407.tif 000007
【図６】
2007096407.tif 000008
【図７】
2007096407.tif 000009
【図８】
2007096407.tif 000010
【図９】
2007096407.tif 000011